(57)【要約】【課題】本体内部に組み込まれた集塵フィルターを交換する場合、フィルターの容積が大きく、通風路で大きいスペースを有しているため、前面からの脱着が困難であるという課題を有していた。【解決手段】ファンモータユニット及び前記集塵フィルターユニットを内部に備える本体ケースとを備え、前記ファンモータユニットの前面側を前面カバーで覆い、前記前面側本体ケースの下部にドレンタンクを設け、前記ドレンタンクの上方に前記集塵フィルターユニットを有し、フィルターユニットの前面カバーを前記ドレンタンクの前面カバーと兼用し、前記ドレンタンクを外したときに、前記フィルターユニットに有するフィルターを、前記本体ケースの前面側から脱着可能とした手乾燥装置を提供する。【選択図】図１
2006288586.tif 000002
【特許請求の範囲】
【請求項１】
凹状に形成された乾燥室と、前記乾燥室に向けて温風を噴出するノズル部と、前記ノズル部から噴出する空気を送出するファンモータとを備え、前記ファンモータを前記乾燥室の下方に設け、前記乾燥室の開口部より上方に前記ノズル部を配置し、前記ノズル部を形成するノズルカバーを前記開口部より小さく形成し、鉛直方向から見たときに前記開口部が前記ノズルカバーによって覆われない構成とし、前記ファンモータを有するファンモータユニットと、前記ファンモータユニットの上流側に配置される小さい粒径の粉塵を除去する集塵フィルターユニットと、前記集塵フィルターよりも大きい塵埃を捕集するプレフィルターとを設け、前記ファンモータユニット及び前記集塵フィルターユニットを内部に有した本体ケースを備え、前記ファンモータユニットの前面側を前面カバーで覆い、前記前面側本体ケースの下部にドレンタンクを設け、前記ドレンタンクの上方に前記集塵フィルターユニットを配設した手乾燥装置であって、前記集塵フィルターユニットの前面カバーを前記ドレンタンクの前面カバーと兼用し、前記ドレンタンクを外したときに、前記集塵フィルターユニットに有する集塵フィルターを、前記本体ケースの前面側から脱着可能に設けたことを特徴とする手乾燥装置。
【請求項２】
凹状に形成された乾燥室と、前記乾燥室に向けて温風を噴出するノズル部と、前記ノズル部から噴出する空気を送出するファンモータとを備え、前記ファンモータを前記乾燥室の下方に設け、前記乾燥室の開口部より上方に前記ノズル部を配置し、前記ノズル部を形成するノズルカバーを前記開口部より小さく形成し、鉛直方向から見たときに前記開口部が前記ノズルカバーによって覆われない構成とし、前記ファンモータを有するファンモータユニットと、前記ファンモータユニットの上流側に配置される小さい粒径の粉塵を除去する集塵フィルターユニットと、前記集塵フィルターよりも大きい塵埃を捕集するプレフィルターとを設け、前記ファンモータユニット及び前記集塵フィルターユニットを内部に有した本体ケースを備え、前記ファンモータユニットの前面側を前面カバーで覆い、前記前面側本体ケースの下部にドレンタンクを設け、前記ドレンタンクの上方に前記集塵フィルターユニットを配設した手乾燥装置であって、前記集塵フィルターユニットおよびそれに連結する風路構成部分を、前記本体ケースの側面から引き出した後、前面側から前記集塵フィルターユニットに有する集塵フィルターを、前記本体ケースの前面側から脱着可能な構成にしたことを特徴とする手乾燥装置。
【請求項３】
前記フィルターユニットおよびそれに連結する風路構成部分を、前記本体ケースの両側面から引き出し可能としたことを特徴とする請求項２に記載の手乾燥装置。
【発明の詳細な説明】
【技術分野】
【０００１】
本発明は、洗面所やトイレ等で手を洗った場合、濡れた手を乾燥させる手乾燥装置に関する。
【背景技術】
【０００２】
従来、この種の手乾燥装置としては、両面から空気を吹き出す空間に手を挿入して乾燥を行う手乾燥装置が開示され、ドレンタンクの上部に形成した通風路で、中箱体の電動送風機側へ入る部分にフィルターが設けられている。そして、前記ドレンタンクを引き出すと、その上部にフィルターを設けているため、フルターは分離可能であることから、メンテを容易におこなうことができる（例えば特許文献１、図４参照）。
【０００３】
また、乾燥空間の上部にファンモータを備え、乾燥空間の上方から空気を吹き出す手乾燥装置が知られている（例えば特許文献２参照）。
【特許文献１】特開２００２−３４８３７号公報
【特許文献２】特開平１０−９９２３５号公報
【発明の開示】
【発明が解決しようとする課題】
【０００４】
特許文献１に示される手乾燥装置にあっては、塵埃を除去するためのフィルターは、通常プレフィルターと呼ばれるものであり、メンテの際に脱着する場合は、底から取り出すには不便であるという点、または、設置場所が際側壁面に近い場合に側面からの脱着が難しい点から、前面からプレフィルターを取り出す方法が示されている。
【０００５】
しかし、小さい粒径の粉塵を除去する集塵フィルターユニットと、前記集塵フィルターよりも大きい塵埃を捕集するプレフィルターを有する塵埃の除去を２段構成にした手乾燥装置で、前記プレフィルターは粗い塵埃の除去を目的とすることから薄い板状をしているが、前記集塵フィルターは、ろ材のメが細かく、山折り谷折りを繰り返したツヅラ折りをし、捕集面積を多くしたものを箱形状内に収納してユニット化しているため、通風路では大きいスペースを有している。一方、前記プレフィルターを脱着する場合は板状のため、ドレンタンクの上部や吸い込み口の隙間に取り付けることが容易に行えるが、ドレンタンクの引き出しと一緒に取り出すことができて脱着が容易となるが、集塵フィルターは、大きいスペースを有するため隙間等の細いスペースに設けることができず、また、化粧性を損なわずに前面から脱着することが困難であった。
【０００６】
そこで本発明は、メンテ時等に、大きい微細の粉塵を除去する集塵フィルターの脱着を前面から容易に取り出す手乾燥装置を提供することを目的とする。
【課題を解決するための手段】
【０００７】
請求項１記載の本発明の手乾燥装置は、凹状に形成された乾燥室と、前記乾燥室に向けて温風を噴出するノズル部と、前記ノズル部から噴出する空気を送出するファンモータとを備え、前記ファンモータを前記乾燥室の下方に設け、前記乾燥室の開口部より上方に前記ノズル部を配置し、前記ノズル部を形成するノズルカバーを前記開口部より小さく形成し、鉛直方向から見たときに前記開口部が前記ノズルカバーによって覆われない構成とし、前記ファンモータを有するファンモータユニットと、前記ファンモータユニットの上流側に配置される小さい粒径の粉塵を除去する集塵フィルターユニットと、前記集塵フィルターよりも大きい塵埃を捕集するプレフィルターとを設け、前記ファンモータユニット及び前記集塵フィルターユニットを内部に有した本体ケースを備え、前記ファンモータユニットの前面側を前面カバーで覆い、前記前面側本体ケースの下部にドレンタンクを設け、前記ドレンタンクの上方に前記集塵フィルターユニットを配設した手乾燥装置であって、前記集塵フィルターユニットの前面カバーを前記ドレンタンクの前面カバーと兼用し、前記ドレンタンクを外したときに、前記集塵フィルターユニットに有する集塵フィルターを、前記本体ケースの前面側から脱着可能に設けたことを特徴とする。
【０００８】
請求項２記載の本発明は、凹状に形成された乾燥室と、前記乾燥室に向けて温風を噴出するノズル部と、前記ノズル部から噴出する空気を送出するファンモータとを備え、前記ファンモータを前記乾燥室の下方に設け、前記乾燥室の開口部より上方に前記ノズル部を配置し、前記ノズル部を形成するノズルカバーを前記開口部より小さく形成し、鉛直方向から見たときに前記開口部が前記ノズルカバーによって覆われない構成とし、前記ファンモータを有するファンモータユニットと、前記ファンモータユニットの上流側に配置される小さい粒径の粉塵を除去する集塵フィルターユニットと、前記集塵フィルターよりも大きい塵埃を捕集するプレフィルターとを設け、前記ファンモータユニット及び前記集塵フィルターユニットを内部に有した本体ケースを備え、前記ファンモータユニットの前面側を前面カバーで覆い、前記前面側本体ケースの下部にドレンタンクを設け、前記ドレンタンクの上方に前記集塵フィルターユニットを配設した手乾燥装置であって、前記集塵フィルターユニットおよびそれに連結する風路構成部分を、前記本体ケースの側面から引き出した後、前面側から前記集塵フィルターユニットに有する集塵フィルターを、前記本体ケースの前面側から脱着可能な構成にしたことを特徴とする。
【０００９】
請求項３記載の本発明は、請求項２に記載の手乾燥装置において、前記フィルターユニットおよびそれに連結する風路構成部分を、前記本体ケースの両側面から引き出し可能としたことを特徴とする。
【発明の効果】
【００１０】
本発明によれば、小さい粒径の粉塵を除去する集塵フィルターユニットと、前記集塵フィルターよりも大きい塵埃を捕集するプレフィルターを有するという塵埃の除去を２段構成にした手乾燥装置の集塵フィルターの脱着に際し、ドレンタンクの取り出しの際に、前記集塵フィルターの前面開口を開放したり、集塵フィルターユニットを一旦側面から少し引き出す段階を設けることにより、前面側から集塵フィルターの脱着を容易にすることができる。
【発明を実施するための最良の形態】
【００１１】
本発明の第１の実施の形態による手乾燥装置は、ファンモータユニットの上流側に配置される小さい粒径の粉塵を除去する集塵フィルターユニットと、前記集塵フィルターよりも大きい塵埃を捕集するプレフィルターとを有し、前記ファンモータユニット及び前記集塵フィルターユニットを内部に有した本体ケースを備え、前記ファンモータユニットの前面側を前面カバーで覆い、前記前面側本体ケースの下部にドレンタンクを設け、前記ドレンタンクの上方に前記集塵フィルターユニットを配設し、前記集塵フィルターユニットの前面カバーを前記ドレンタンクの前面カバーと兼用し、前記ドレンタンクを外したときに、前記集塵フィルターユニットに有する集塵フィルターを、前記本体ケースの前面側から脱着可能に設けたものである。これにより、ドレンタンクの前面カバーと前記集塵フィルターユニットの前面カバーが同時に外れるため、前記ドレンタンクを前面から取り出した後、前面から集塵フィルターを取り出すことができる。
【００１２】
本発明の第２の実施の形態による手乾燥装置は、集塵フィルターユニットおよびそれに連結する風路構成部分を、前記本体ケースの側面から引き出した後、前面側から前記集塵フィルターユニットに有する集塵フィルターを、前記本体ケースの前面側から脱着可能な構成にしたものである。これにより、一旦側面から横方向から引き出してスライドさせた後、前面から集塵フィルターを取り出すことができる。
【００１３】
本発明の第３の実施の形態は、第２の実施の形態による手乾燥装置において、前記集塵フィルターユニットおよびそれに連結する風路構成部分を、前記本体ケースの両側面から引き出し可能としたものである。これにより、片方が壁等で塞がれていても、もう一方から一旦横方向に引き出してスライドさせた後、前面から集塵フィルターを取り出すことができる。
【００１４】
以下、本発明の実施の形態について図面を参照しながら説明する。
【００１５】
（実施の形態１）
図１を用いて実施の形態１による手乾燥装置の外観形状について説明する。図１は本発明の一実施の形態による手乾燥装置の外観形状を示す斜視図である。図１に示すように、本実施の形態による手乾燥装置は、装置本体の上部に乾燥室１を形成している。乾燥室１は、背面側から前面側に向かって下方に傾斜した外縁部２によって開口部３が形成され、この開口部３の下方に凹状の空間を形成している。乾燥室１の開口部３より上方には板状のノズルカバー４が設けられ、開口部３とノズルカバー４との間にも乾燥空間を形成している。なお、乾燥室１の開口部３より上方には、ノズルカバー４以外は設けていない。この装置本体は、乾燥室１を形成する外縁部２が最も前面側に突出した形状であり、装置本体の最下部にはドレンタンク５を設けている。ドレンタンク５には前面カバー６を有し、乾燥室１とドレンタンク５の前面カバー６との間は、本体ケース７によって覆われている。
【００１６】
図２を用いて実施の形態１による手乾燥装置の内部構造について説明する。図２は同装置の本体ケース内の構成を示す正面図である。図２に示すように本体ケース７の内部、すなわち乾燥室１の下方には、ＤＣモータを用いたファンモータ１０が設けられ、ファンモータ１０の更に下方には集塵フィルター１１が設けられている。この集塵フィルター１１は、微細粉塵である室内浮遊菌を捕集、除菌する機能を備えた集塵フィルターである。ここで集塵フィルターは、微細粉塵を捕集するためメが細く、山折り谷折りを繰り返したツヅラ折りをし、捕集面積を多くしている。また、微細粉塵を漏れなく除去するため、通風路の壁面と集塵フィルターの間に隙間が生じないように箱形状の集塵フィルターケース４１に収納されている。これらを集塵フィルターユニット１６という。そして、プレフィルターを通過した小さい径の粉塵を捕集する役割をしている。
【００１７】
ファンモータ１０の上方、すなわち乾燥室１の背面側には、ノズルカバー４に連接される通風路１２が形成されている。また、この通風路１２の途中にはヒーター１３を設けている。また、集塵フィルター１１の下部には空気導入通路１４が形成されている。ここで、ファンモータ１０を有するファンモータユニット１５と、ファンモータユニット１５の上流側に配置される集塵フィルターユニット１６と、これらファンモータユニット１５や集塵フィルターユニット１６を背面側本体ケース７に固定することでファンモータユニット１５や集塵フィルターユニット１６を本体ケース７内に備えている。本体ケース７の下面には本体ケース吸込口１８を設けている。また、集塵フィルターユニット１６内には集塵フィルター１１と集塵フィルター１１を収納するフィルターケース４１を有するとともに、この集塵フィルター１１の上流側には集塵フィルターユニット吸込口１９を、集塵フィルター１１の下流側には集塵フィルターユニット吹出口２０をそれぞれ形成している。また、ファンモータユニット１５内にはファンモータ１０を有し、ファンモータユニット吸込口２１を形成している。ここで、ファンモータ１０は、背面側本体ケース１７に垂直な方向を回転軸とし、反時計回り（図示の矢印Ａ）に回転させる。なお、本実施の形態においては、集塵フィルターユニット吹出口２０とファンモータユニット吸込口２１とを直接連接している。そして、本体の最下部に設けたドレンタンク５には、前記集塵フィルターよりも大きい塵埃を捕集するプレフィルター２２を、ドレンタンク５のカバー２３の一部に設けている。つまり、通風路の入り口にはプレフィルター２２を配置し、通風路を構成する風路内に箱状の集塵フィルター１１を配置する２段構成にし、粗い粉塵と、微細な粉塵の除去をおこなっている。
【００１８】
上記構成において、ファンモータ１０を運転すると、本体ケース吸込口１８から吸い込んだ空気は、前記プレフィルター２２を通り、曲がりを有する通風路２４から２７を通り、集塵フィルターユニット吸込口１９に至り、集塵フィルターユニット１６内に設けた集塵フィルター１１を通過し、ファンモータユニット１５に吸い込まれ、ファンモータ１０から吹き出し、通風路１２を通ってノズルカバー４に入り、ノズルカバー４に設けたノズル（図示せず）から、乾燥室１に向けて吹き出している。
【００１９】
ここで、集塵フィルター１１のメンテ等をおこなう場合について図３を参照しながら説明をおこなう。図３は同装置のドレンタンク５を取り外した分解斜視図である。図３に示すように、ドレンタンク５の前面カバー６は、前記ドレンタンク５の前面をカバーしているだけでなく、集塵フィルターユニット１６の前面のカバーも兼用した形状となっている。そのため、ドレンタンク５の前面カバー６を前面側に引き出し、集塵フィルターユニット１６を露出させる。そして、集塵フィルターユニット１６に嵌め込んでいる、集塵フィルター１１を収納した集塵フィルターケース４１を前面側から脱着をおこない内部の集塵フィルター１１の交換をおこなうことができる。このように、集塵フィルター１１の交換を前面側からの操作で容易にすることができる。
【００２０】
（実施の形態２）
図４を用いて実施の形態２による手乾燥装置の外観形状について説明する。図４は同装置の集塵フィルターユニット１６およびそれに連結する風路構成部分を横方向にスライドさせた装置内部の正面図である。図４に示すように、集塵フィルターユニット１６の下部にレール３０を配設し、側面に指を挿入できる引き出し開口部３１を設けた構成としている。引き出し開口部は留め金（図示せず）を有するレバー（図示せず）が設置されたラッチ機構となっている。
【００２１】
このような構成により、前面側から指を引き出し開口部３１に挿入し、開口部のレバーを押すことで留め金が外れ、本体に固定されている集塵フィルターユニット１６を横方向へスライドさせて引き出すことができる。一旦側面に沿って横方向に引き出した後、手前から集塵フィルターユニット１６に嵌め込んだ集塵フィルター１１を収納した集塵フィルターケース４１を前面側から脱着をおこない内部のフィルターの交換をおこなうことができる。このように、集塵フィルター１１の交換を前面に位置した操作だけで可能としたものである。また、片方向だけからの取り出しだけでなく、レール３０を両側面に渡すことにより、両方向から取り出しを可能とし、本体のすぐ近くに壁等がある場合は、壁のない方向から引き出すことを可能とする。なお、ラッチ機構は、開口部を設けず、バネによるプッシュオープン機構としてもよい。
【産業上の利用可能性】
【００２２】
本発明の手乾燥装置は、病院の手術室や調理場においても利用可能である。
【図面の簡単な説明】
【００２３】
【図１】本発明の一実施の形態による手乾燥装置の外観形状を示す斜視図
【図２】同装置の本体ケース内の構成を示す正面図
【図３】同装置のドレンタンクを取り外した斜視図
【図４】同装置の集塵フィルターユニットおよびそれに連結する風路構成部分を横方向にスライドさせた装置内部の正面図
【符号の説明】
【００２４】
１    乾燥室
２    外縁部
３    開口部
４    ノズルカバー
５    ドレンタンク
６    前面カバー
７    本体ケース
１０    ファンモータ
１１    集塵フィルター
１２    通風路
１３    ヒーター
１４    空気導入通風路
１５    ファンモータユニット
１６    集塵フィルターユニット
１７    背面側本体ケース
１８    本体ケース吸込口
１９    集塵フィルターユニット吸込口
２０    集塵フィルターユニット吹出口
２１    ファンモータユニット吸込口
２２    プレフィルター
２３    カバー
２４    通風路
２５    通風路
２６    通風路
２７    通風路
３０    レール
３１    引き出し開口部
４１    集塵フィルターケース
【図１】
2006288586.tif 000003
【図２】
2006288586.tif 000004
【図３】
2006288586.tif 000005
【図４】
2006288586.tif 000006